(57)【要約】【課題】  浴用按摩帯の提供。【解決手段】  二つの相互に対称なハンドルと少なくとも一つの帯体からなり、該帯体は扁平状とされ、一面がブラシ面とされ、もう一面に複数の凸粒が設けられ、帯体の両端に接続端が設けられ、該ハンドルより半帯体が延伸され、該半帯体の前端にも接続端が設けられ、ハンドルの接続端が帯体の接続端と結合され、帯体の別端にもう一つの帯体或いはもう一つのハンドルの接続端が接続されて、所定の長さの浴用按摩帯が形成される。【選択図】        図１
0003102813.tif 000002
【実用新案登録請求の範囲】
【請求項１】
二つの相互に対称なハンドルと少なくとも一つの帯体からなり、該帯体は扁平状とされ、一面がブラシ面とされ、もう一面に複数の凸粒が設けられ、帯体の両端に接続端が設けられ、該ハンドルより半帯体が延伸され、該半帯体の前端にも接続端が設けられ、ハンドルの接続端が帯体の接続端と結合され、帯体の別端にもう一つの帯体或いはもう一つのハンドルの接続端が接続されて、所定の長さの浴用按摩帯が形成されることを特徴とする、浴用按摩帯。
【請求項２】
請求項１記載の浴用按摩帯において、ハンドルの半帯体の接続端に複数のフックが配列され、フック間にギャップが設けられ、該フックの内側に穿孔が設けられ、帯体の接続端がハンドルの半帯体のフックと反対方向に対称に配列された複数のフックとギャップを具え、帯体のもう一つの接続端が同方向に配列された複数のフックとギャップを具え、半帯体のフックとギャップが帯体の接続端のギャップとフックに嵌合され、二つの挿入柱が両側よりフックの穿孔内に挿入されて結合され、ハンドルの半帯体と帯体が接続されるか帯体と帯体が接続されることを特徴とする、浴用按摩帯。
【請求項３】
請求項１又は請求項２記載の浴用按摩帯において、挿入柱の前端が弾性クリップとされ、該弾性クリップの対向する二つの片体の内側に凸塊と嵌合空間が形成され、挿入柱の末端が板片とされ、水平方向の挿入柱と９０度回転後の挿入柱が、前端の弾性クリップの凸塊とフックの各嵌合空間内での係合により結合されたことを特徴とする、浴用按摩帯。
【請求項４】
請求項１記載の浴用按摩帯において、ハンドルと半帯体の間に複数の接続リブが設けられ、ハンドルに係止部が設けられたことを特徴とする、浴用按摩帯。
【考案の詳細な説明】
【技術分野】
【０００１】
本考案は浴用製品に係り、更に詳しくは、浴用按摩帯に関する。
【背景技術】
【０００２】
周知のとおり、浴用製品の種類は非常に多く、現在は泡温泉、マッサージ等の清潔及び健康増進の活動が流行している。本件出願人は掌サイズで掌を挿入できるマッサージグローブを提供しており、それは一面がブラシとされ、もう一面に按摩凸粒が設けられ、洗浄作用のほか、按摩作用を有し、材質が軟らかく皮膚を傷つけず、洗浄と按摩により、筋肉を活性化し、皮膚の血行をよくし、気分を爽快とする効果を提供するもので、大衆に広く受け入れられている。
【０００３】
しかし手部に装着するマッサージグローブは、人体背部に対しては洗浄或いは按摩が行ないにくく、長い帯体の助けが必要となる。このような帯体を軟質材料で形成すると、その長さは約９０ｃｍ以上となり、西洋人の場合は、１００ｃｍ以上も必要となり、相当に大きな金型の製作が必要となり、製作が難しくなった。
【考案の開示】
【考案が解決しようとする課題】
【０００４】
本考案は一種の浴用按摩帯を提供することを目的とし、それは、軟質の浴用按摩帯であり、組合せて子供用或いは大人用の長さとすることができ、長さによる製造の難しさを克服し、人体の背部、頸部、腹部、臀部、大腿等の洗浄、按摩に対していずれも良好な洗浄、按摩の効果を有するものとする。
【課題を解決するための手段】
【０００５】
請求項１の考案は、二つの相互に対称なハンドルと少なくとも一つの帯体からなり、該帯体は扁平状とされ、一面がブラシ面とされ、もう一面に複数の凸粒が設けられ、帯体の両端に接続端が設けられ、該ハンドルより半帯体が延伸され、該半帯体の前端にも接続端が設けられ、ハンドルの接続端が帯体の接続端と結合され、帯体の別端にもう一つの帯体或いはもう一つのハンドルの接続端が接続されて、所定の長さの浴用按摩帯が形成されることを特徴とする、浴用按摩帯としている。
請求項２の考案は、請求項１記載の浴用按摩帯において、ハンドルの半帯体の接続端に複数のフックが配列され、フック間にギャップが設けられ、該フックの内側に穿孔が設けられ、帯体の接続端がハンドルの半帯体のフックと反対方向に対称に配列された複数のフックとギャップを具え、帯体のもう一つの接続端が同方向に配列された複数のフックとギャップを具え、半帯体のフックとギャップが帯体の接続端のギャップとフックに嵌合され、二つの挿入柱が両側よりフックの穿孔内に挿入されて結合され、ハンドルの半帯体と帯体が接続されるか帯体と帯体が接続されることを特徴とする、浴用按摩帯としている。
請求項３の考案は、請求項１又は請求項２記載の浴用按摩帯において、挿入柱の前端が弾性クリップとされ、該弾性クリップの対向する二つの片体の内側に凸塊と嵌合空間が形成され、挿入柱の末端が板片とされ、水平方向の挿入柱と９０度回転後の挿入柱が、前端の弾性クリップの凸塊とフックの各嵌合空間内での係合により結合されたことを特徴とする、浴用按摩帯としている。
請求項４の考案は、請求項１記載の浴用按摩帯において、ハンドルと半帯体の間に複数の接続リブが設けられ、ハンドルに係止部が設けられたことを特徴とする、浴用按摩帯としている。
【考案の効果】
【０００６】
本考案は一種の浴用按摩帯を提供し、それは、軟質の浴用按摩帯であり、組合せて子供用或いは大人用の長さとすることができ、長さによる製造の難しさを克服し、人体の背部、頸部、腹部、臀部、大腿等の洗浄、按摩に対していずれも良好な洗浄、按摩の効果を有する。
【考案を実施するための最良の形態】
【０００７】
本考案の浴用按摩帯は、二つの相互に対称なハンドルと少なくとも一つの帯体からなり、該帯体は扁平状とされ、一面がブラシ面とされ、もう一面に複数の凸粒が設けられ、帯体の両端に接続端が設けられ、該ハンドルより半帯体が延伸され、該半帯体の前端にも接続端が設けられ、ハンドルの接続端が帯体の接続端と結合され、帯体の別端にもう一つの帯体或いはもう一つのハンドルの接続端が接続されて、所定の長さの浴用按摩帯が形成される。
【実施例１】
【０００８】
本考案の浴用按摩帯は、図１、２に示されるように、二つの相互に対称なハンドル１０と少なくとも一つの帯体２０で構成されている。該帯体２０は長條扁平状を呈し、両側は半円形とされ、一面に複数の凸粒２１が設けられ、該凸粒２１の上部は底部より小さい。該帯体２０の別面はブラシ面２２とされ（図３）、該ハンドル１０に半帯体１１が設けられ、該半帯体１１に凸粒１１１とブラシ面１１２が設けられている。該帯体２０の両端に接続端２３、２４が設けられ、該接続端２３に三つのフック２３１と三つのギャップ２３３が設けられ、該フック２３１が帯体２０と一体にやや隆起するように設けられ、内側が穿孔２３２とされ、フック２３１が相互に離間配置され、もう一端の接続端２４は反対方向に対称に配列される。該ハンドル１０の半帯体１１の前端にも接続端１２が設けられ、該接続端１２に三つのフック１２１と三つのギャップ１２３が設けられ、フック１２１の内側に穿孔１２２が設けられ、該接続端１２のフック１２１、ギャップ１２３の配列は帯体２０の接続端２３と反対方向を呈して対称とされ、二つの同じ挿入柱３０が帯体２０の一側のフック２３１と半帯体１１の別側のフック１２１に挿入されて結合され、該挿入柱３０の前端に二つの片体があり、弾性クリップ３１を形成し、弾性クリップ３１の両内側に凸塊３２と一つの嵌合空間３３が設けられ、挿入柱３０の後端は台形の板片３４とされて手で押し込むのに供される。該ハンドル１０と半帯体１１の間に複数の接続リブ１３が設けられ、且つハンドル１０の末端に係止部１４が設けられ、該係止部１４は釘体に吊り下げるか或いは掛吊に供される。
【０００９】
上述の構造が組み合わされて本考案の浴用按摩帯が形成される。その組合せ時には、帯体２０の接続端２３と半帯体１１の接続端１２が接合され、接続端２３のフック２３１とギャップ２３３が接続端１２のギャップ１２３とフック１２１に係合され、二つの挿入柱３０、３０’が両側のフック２３１の穿孔２３２及びフック１２１の穿孔１２２より挿入されるが、一つの挿入柱３０は正方向に挿入され、もう一つの挿入柱３０’は９０度回転させられた後に挿入され、図２、４、５に示されるように、二つの挿入柱３０、３０’がそれぞれ両側のフック２３１の穿孔２３２とフック１２１の穿孔１２２に挿入され（二つの挿入柱３０、３０’の板片３４、３４’が押圧される）、挿入柱３０の弾性クリップ３１の二つの凸塊３２がもう一つの挿入柱３０’の嵌合空間３３’内に係合し、別の弾性クリップ３１’の二つの凸塊３２’もまた弾性クリップ３１の嵌合空間３３内に係合し、相互に噛み合い及び係止して結合され、並びに半帯体１１と帯体２０が結合される。
【００１０】
同様に、帯体２０と帯体２０もまた同様の方式で結合され、子供であればただ一つの帯体２０と二つのハンドル１０を結合させるだけでよく、大人や西洋人であれば、必要な按摩帯の長さ応じて帯体２０の数量を増すことができる。こうして型の過大を防止し、プラスチック成形の射出行程を減らし、不良品の発生を減らし、製造コストを減らし、且つ包装材料を減少し、運搬及び組立に便利とすることができる。一般に組合せ後の按摩帯の長さは９０ｃｍであるが、大人或いは身長が高い人は組合せにより１２０ｃｍ以上の長さに延長できる。
【００１１】
本考案は周知の布で製造された帯体とは異なる。周知の布で製造された帯体は洗浄作用はあるがマッサージや精油マッサージの動作は行なえない。本考案は現在流行のＳＰＡ、泡風呂のいずれでも使用することができ、特に人体背部の洗浄、按摩を行ない更なる快適感を提供でき、これは周知の布製の浴用帯では提供できない機能である。
【００１２】
本考案の浴用按摩帯は新規性、実用性を具え、実用新案登録の要件を具備している。
【図面の簡単な説明】
【００１３】
【図１】本考案の分解斜視図である。
【図２】本考案の斜視図である。
【図３】図２の３−３断面図である。
【図４】図２の４−４断面図である。
【図５】図２の５−５断面図である。
【図６】本考案のブラシ面平面図である。
【符号の説明】
【００１４】
１０  ハンドル            １４  係止部      ３０  挿入柱
１１  半帯体              ２０  帯体        ３０’  挿入柱
１１１  凸粒              ２１  凸粒        ３１  弾性クリップ
１１２  ブラシ面          ２２  ブラシ面    ３１’  弾性クリップ
１２  接続端              ２３  接続端      ３２  凸塊
１２１  フック            ２３１  フック    ３２’  凸塊
１２２  穿孔              ２３２  穿孔      ３３  嵌合空間
１２３  ギャップ          ２３３  ギャップ  ３３’  嵌合空間
１３  接続リブ            ２４  接続端      ３４  板片
３４’  板片
【図１】
0003102813.tif 000003
【図２】
0003102813.tif 000004
【図３】
0003102813.tif 000005
【図４】
0003102813.tif 000006
【図５】
0003102813.tif 000007
【図６】
0003102813.tif 000008